(57)【要約】【課題】レトロフォーカス型の広角レンズ系であって、より薄型（小型）で諸収差が良好に補正された画角が７０゜程度の高性能な広角レンズ系を得る。【解決手段】物体側から順に、負の前群と正の後群からなる広角レンズ系において、前群は、物体側から順に、負の第１ａレンズ群と正の第１ｂレンズ群からなり、後群は、正レンズ、負レンズ及び正レンズの接合レンズを含み、次の条件式（１）を満足する広角レンズ系。（１）-１５＜ｆＦ／ｆ＜-３但し、ｆＦ；前群の焦点距離、ｆ；全系の焦点距離。【選択図】図１
2007225963.tif 000002
【特許請求の範囲】
【請求項１】
物体側から順に、負の前群と、絞りと、正の後群とからなる広角レンズ系において、
前群は、物体側から順に、負の第１ａレンズ群と正の第１ｂレンズ群からなり、
次の条件式（１）を満足することを特徴とする広角レンズ系。
（１）-１５＜ｆＦ／ｆ＜-３
但し、
ｆＦ；前群の焦点距離、
ｆ；全系の焦点距離。
【請求項２】
請求項１記載の広角レンズ系において、次の条件式（２）を満足する広角レンズ系。
（２）-２．０＜ｆ１ａ／ｆ＜-０．５
但し、
ｆ１ａ；第１ａレンズ群の焦点距離。
【請求項３】
請求項１または２記載の広角レンズ系において、次の条件式（３）を満足する広角レンズ系。
（３）１．０＜ｆＲ／ｆ＜１．８
但し、
ｆＲ；後群の焦点距離。
【請求項４】
請求項１ないし３のいずれか１項記載の広角レンズ系において、後群は、物体側から順に、正レンズ、負レンズ、正レンズ及び正レンズからなり、絞りに近い正レンズ、負レンズ及び正レンズの３枚が接合されている広角レンズ系。
【請求項５】
請求項１ないし４のいずれか１項記載の広角レンズ系において、第１ａレンズ群は、物体側から順に位置する正レンズと負レンズからなっている広角レンズ系。
【請求項６】
請求項１ないし５のいずれか１項記載の広角レンズ系において、次の条件式（４）を満足する広角レンズ系。
（４）１．５＜ｆ１ｂ／ｆ＜２．５
但し、
ｆ１ｂ；第１ｂレンズ群の焦点距離。
【請求項７】
請求項１ないし６のいずれか１項記載の広角レンズ系において、第１ｂレンズ群は、物体側から順に位置する負レンズと正レンズからなっている広角レンズ系。
【請求項８】
請求項１ないし７のいずれか１項記載の広角レンズ系において、後群中の像側の最終レンズに非球面が含まれている広角レンズ系。
【請求項９】
請求項１ないし８のいずれか１項記載の広角レンズ系において、フォーカシングは、前群と後群を異なる移動量だけ移動させて行い、次の条件式（５）を満足する広角レンズ系。
（５）０．７＜Ｘ１／Ｘ２＜０．９
但し、
Ｘ１；フォーカシングによる前群の移動量、
Ｘ２；フォーカシングによる後群の移動量。
【発明の詳細な説明】
【技術分野】
【０００１】
本発明は、デジタル一眼レフ（ＳＬＲ）カメラ用として好適な広角レンズ系に関する。
【背景技術】
【０００２】
焦点距離に対して比較的長いバックフォーカスを必要とする一眼レフカメラ用の広角レンズ系としては、物体側から負正の配置のレトロフォーカス型が広く用いられており、そのパワー配置、レンズ構成、寸法構成等について各種の提案がなされている。
【特許文献１】特開２００１-１３４０５号公報
【特許文献２】特開２００１-３３０７７１号公報
【特許文献３】特開２００２-３０３７９０号公報
【特許文献４】特開２００３-１２１７３５号公報
【発明の開示】
【発明が解決しようとする課題】
【０００３】
本発明は、レトロフォーカス型の広角レンズ系であって、より薄型（小型）で諸収差が良好に補正された画角が７０゜程度の高性能な広角レンズ系を得ることを目的とする。
【課題を解決するための手段】
【０００４】
本発明は、物体側から順に、負の前群と、絞りと、正の後群とからなる広角レンズ系において、前群は、物体側から順に、負の第１ａレンズ群と正の第１ｂレンズ群からなり、次の条件式（１）を満足することを特徴としている。
（１）-１５＜ｆＦ／ｆ＜-３
（２）-２．０＜ｆ１ａ／ｆ＜-０．５
但し、
ｆＦ；前群の焦点距離、
ｆ；全系の焦点距離、
である。
【０００５】
本発明の広角レンズ系は、次の条件式（２）を満足することが好ましい。
（２）-２．０＜ｆ１ａ／ｆ＜-０．５
但し、
ｆ１ａ；第１ａレンズ群の焦点距離、
である。
【０００６】
本発明の広角レンズ系はまた、次の条件式（３）を満足することが好ましい。
（３）１．０＜ｆＲ／ｆ＜１．８
但し、
ｆＲ；後群の焦点距離、
である。
【０００７】
全体として正の後群は、具体的には例えば、物体側から順に、正レンズ、負レンズ、正レンズ及び正レンズから構成し、絞りに近い正レンズ、負レンズ及び正レンズの３枚を接合するのが好ましい。
【０００８】
全体として負の第１ａレンズ群は、具体的には例えば、物体側から順に位置する正レンズと負レンズから構成することが望ましい。
【０００９】
第１ｂレンズ群は、次の条件式（４）を満足することが望ましい。
（４）１．５＜ｆ１ｂ／ｆ＜２．５
但し、
ｆ１ｂ；第１ｂレンズ群の焦点距離、
である。
【００１０】
全体として正の第１ｂレンズ群は、具体的には例えば、物体側から順に位置する負レンズと正レンズから構成することが望ましい。
【００１１】
また、後群中の像側の最終レンズには非球面を含ませることが好ましい。
【００１２】
本発明の広角レンズ系は、前群と後群を異なる量だけ移動させてフォーカシングを行うフローティングフォーカスを適用することができる。このフローティングフォーカス方式を用いた場合、次の条件式（５）を満足させることが好ましい。
（５）０．７＜Ｘ１／Ｘ２＜０．９
但し、
Ｘ１；フォーカシングによる前群の移動量、
Ｘ２；フォーカシングによる後群の移動量、
である。
【発明の効果】
【００１３】
本発明によれば、レトロフォーカス型の広角レンズ系であって、より薄型（小型）で諸収差が良好に補正された画角が７０゜程度の高性能な広角レンズ系を得ることができる。
【発明を実施するための最良の形態】
【００１４】
本実施形態の広角レンズ系は、図１、図３、図５、図７及び図９の各実施例に示すように、物体側から順に、絞りＳで分けられる負の前群１０と正の後群２０を有している。前群１０は、物体側から順に、空気間隔最大のところで分けられる負の第１ａレンズ群１１と正の第１ｂレンズ群１２からなっている。また、全ての実施例において、第１ａレンズ群１１は、物体側から順に、物体側に凸面を向けた正の第１レンズと負の第２レンズからなり、第１ｂレンズ群１２は、物体側から順に、物体側に凸面を向けた負の第３レンズと正の第４レンズからなっており、負の第３レンズと正の第４レンズは接合されている。第３レンズと第４レンズの合成パワーは正である。また、後群２０は、物体側から順に、正の第５レンズ、負の第６レンズ、像側に凸面を向けた正の第７レンズ、及び正の第８レンズからなり、第５レンズから第７レンズの３枚のレンズが貼り合わされている。第８レンズは、その物体側の面に非球面を有している。３枚の接合レンズの合成パワーは負である。
【００１５】
条件式（１）は、負の前群のパワーに関する条件式である。条件式（１）の上限を超えて前群の負のパワーが強くなると、軸外光束の後群への入射角度がきつくなるため、球面収差の変動が大きくなり、好ましくない。条件式（１）の下限を超えて前群の負のパワーが弱くなると、後群で発生する球面収差、コマ収差を十分に補正することができない。この条件式（１）は、下限を-１０とし、上限を-５とする（（１’）-１０＜ｆＦ／ｆ＜-５）と、より良好に収差補正を行うことができる。
【００１６】
レトロフォーカス型のレンズは一般に、絞りＳの前後でパワー配置が負正で非対称であるため、歪曲収差、非点収差等の諸収差が発生しやすい傾向にある。負のパワーの前群は、該前群での歪曲収差、非点収差等の発生を抑えるために、少なくとも１枚の正レンズを含む複数のレンズから構成するのがよい。より良好に諸収差（特に色収差）の補正を行うために、全体として正のパワーを有する正負レンズの接合レンズを一組配置することが好ましい。また、絞りＳの物体側近傍に比較的厚い正レンズを配置することにより歪曲収差を良好に補正することができる。
【００１７】
条件式（２）は、前群１０中の負の第１ａレンズ群１１のパワーに関するもので、小型化とバックフォーカスの確保を両立しつつ、諸収差を良好に補正するための条件である。条件式（２）の上限を超えて第１ａレンズ群の負のパワーが強いと、小型化、バックフォーカスの確保には有利ではあるが、非点収差、像面湾曲の補正が困難になる。条件式（２）の下限を超えて第１ａレンズ群の負のパワーが弱いと、バックフォーカスを確保するために全長が長くなりやすい。条件式（２）の下限を超えたまま全長を短縮しようとすると、第１ｂレンズ群にも負のパワーを与えなければならず、第１ｂレンズ群が負のパワーを持つと、第１ａレンズ群で発生する非点収差、像面湾曲を補正できなくなり、十分な性能が得られない。この条件式（２）の下限値を-１．５、上限値を-１．０とする（（２’）-１．５＜ｆ１ａ／ｆ＜-１．０）と、さらに良好な収差補正が可能となる。
【００１８】
負の第１ａレンズ群１１は、好ましくは物体側から順に正レンズと負レンズの２枚構成とするのがよい。第１ａレンズ群を負レンズ１枚から構成すると、歪曲収差の補正ができない。物体側から順に負正の構成では、歪曲収差の補正は可能であるが、第１ａレンズ群のレンズ厚が大きくなり、薄型化に不利となる。
【００１９】
条件式（３）は、正の後群のパワーに関する条件式である。条件式（３）の下限を超えて後群の正のパワーが強くなると、球面収差、コマ収差が大きく発生する。また、フォーカシングにフローティング方式を採用すると、球面収差の変動が大きくなる。条件式（３）の上限を超えて後群の正のパワーが弱くなると、フローティング方式を採用してもその効果が十分に得られない。この条件式（３）は、上限を１．４とする（（３’）１．０＜ｆＲ／ｆ＜１．４）と、より良好に収差補正を行うことができる。
【００２０】
この正のパワーの後群は、軸外収差に与える影響を小さく保ったまま全系で発生する球面収差を補正するために、負の球面収差を発生させる少なくとも１枚の負レンズを含ませるのがよい。そして、球面収差やコマ収差の発生を抑えるために、少なくとも３枚の正レンズを含ませるのがよい。また、負レンズの両面に正レンズを位置させ、これらを３枚を貼り合わせて１組の接合レンズとすることにより、高次の球面収差を良好に補正することができる。最も好ましい後群のレンズ構成は、物体側から順に、正レンズ、負レンズ、正レンズ及び正レンズから構成し、絞りに近い正レンズ、負レンズ及び正レンズの３枚を接合する態様である。正負正正の並びの中で、物体側の３枚を接合することにより、高次収差の発生を抑えることができる。後群の構成は、画面全域にわたって球面収差・コマ収差の補正に適している。
【００２１】
また、後群中の像側の最終レンズに非球面を設けることにより、球面収差やコマ収差をより良好に補正することが可能である。非球面は、物体側の面、像側の面のいずれでもよいが、非球面を樹脂非球面とする（ハイブリッドレンズとする）ときには、物体側の面が好ましい。なお、前群に非球面を用いると、像面湾曲、非点収差の補正は可能だが、コマ収差の補正ができず、また前群は後群に比してレンズ径が大きいため、非球面の形成コストが高くなる。
【００２２】
条件式（４）は、前群１０中の正の第１ｂレンズ群１２のパワーに関するものである。前群１０は、該前群１０内でも物体側から順に負正のパワー配置となっており、第１ｂレンズ群は第１ａレンズ群で発生する歪曲収差、非点収差を補正する作用がある。条件式（４）の上限を超えて第１ｂレンズ群の正のパワーが弱くなると、第１ａレンズ群で発生する歪曲収差、像面湾曲を良好に補正できない。条件式（４）の下限を超えて第１ｂレンズ群の正のパワーが強くなると、球面収差、コマ収差が大きく発生する。この条件式（４）の下限値を１．７、上限値を２．０とする（（４’）１．７＜ｆ１ｂ／ｆ＜２．０）と、さらに良好な収差補正が可能となる。
【００２３】
正の第１ｂレンズ群１２は、物体側から順に負正のレンズから構成すると、像面湾曲、非点収差、色収差、球面収差を良好に補正することができる。この物体側から順に位置する負正のレンズは、接合することで、高次の球面収差の発生を抑え、レンズ径の小型化を図ることができる。すなわち、前群１０は全体として負のパワーを持っているので、その収差補正のために、負の第１ａレンズ群と正の第１ｂレンズ群で構成しており、第１ａレンズ群は歪曲収差の補正に有利な正負の構成をとっている。そこで補正不足となる非点収差を正の第１ｂレンズ群で補正する際、第１ｂレンズ群が正レンズだけであると、球面収差・コマ収差が発生し好ましくないため、第１ｂレンズ群を負正の接合レンズとすることで、球面収差・コマ収差の発生を抑えつつ、非点収差を良好に補正している。
【００２４】
条件式（５）は、フォーカシングにフローティング方式を採用したときの前群と後群の移動量に関する条件である。フォーカシングに際し、前群と後群の移動量を異ならせるフローティングフォーカス方式は、近距離撮影時に発生する像面湾曲を補正するのに効果があることが知られている。条件式（５）の上限を超えると、像面湾曲の補正が不足し、下限を超えると、補正過剰となる。フローティングフォーカスは、前群と後群の移動量の比が一定の線形フローティングでも、同移動量の比が変化する非線形フローティングのいずれも可能である。
【００２５】
次に具体的な実施例を示す。諸収差図及び表中、ＳＡは球面収差、ＳＣは正弦条件、球面収差で表される色収差（軸上色収差）図及び倍率色収差図中のｄ線、ｇ線、Ｃ線はそれぞれの波長に対する収差、Ｓはサジタル、Ｍはメリディオナル、Ｗは半画角（゜）、FはＦナンバー、ｆは全系の焦点距離、fBはバックフォーカス、ｒは曲率半径、ｄはレンズ厚またはレンズ間隔、Ｎd はｄ線の屈折率、νはアッベ数を示す。
また、回転対称非球面は次式で定義される。
x=cy2/[1+[1-(1+K)c2y2]1/2]+A4y4+A6y6+A8y8+A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【実施例１】
【００２６】
図１及び図２と表１は本発明による広角レンズの実施例１を示している。図１はレンズ構成図、図２はその諸収差図、表１はその無限遠撮影状態における数値データである。
本実施例の広角レンズ系は、物体側から順に、負の前群１０、絞りＳ、及び正の後群２０からなる。前群１０は、物体側から順に、空気間隔最大のところで分けられる負の第１ａレンズ群１１と、正の第１ｂレンズ群１２からなる。より具体的には、第１ａレンズ群１１は、物体側から順に、物体側に凸の正メニスカスレンズ（正の第１レンズ）と、物体側に凸の負メニスカスレンズ（負の第２レンズ）からなる。第１ｂレンズ群１２は、物体側に凸の負メニスカスレンズ（負の第３レンズ）と物体側に凸の正メニスカスレンズ（正の第４レンズ）の接合レンズからなる。後群２０は、物体側から順に、物体側から順に位置する、像側に凸の正メニスカスレンズと（正の第５レンズ）物体側が凹の平凹負レンズ（負の第６レンズ）と像側に凸の平凸正レンズ（正の第７レンズ）との３枚の接合レンズ、及び物体側の面に合成樹脂材料による非球面層が接着形成された像側に凸の正メニスカスレンズ（正の第８レンズ）からなる。絞りＳは、第８面（後群２０）の極から前方2.000にある。
また、フォーカシングは、特に近距離撮影時に発生する像面湾曲を効果的に補正するために、前群１０と後群２０を異なる移動量移動させることでフォーカスするフローティングフォーカスを採用している。
（表１）
F    = 1: 3.3
f    =   21.60
W    =   34.2
fB   =   36.70
面 No.      ｒ            ｄ            Ｎd        ν
1           37.707      2.80         1.70000       56.5
2          156.586      0.10            ‐          ‐
3           24.702      1.10         1.83481       42.7
4            9.600      8.80            ‐          ‐
5           40.676      1.00         1.71300       53.9
6            8.600      3.39         1.71879       29.0
7        -109.468       4.00            ‐          ‐
8         -13.645       2.84         1.73258       50.5
9          -8.178       1.00         1.80482       25.4
10           ∞         3.19         1.59851       59.7
11        -16.989       0.20            ‐          ‐
12*      -134.928       0.10         1.52972       42.7
13        -94.797       2.78         1.77250       49.6
14        -15.434        -              ‐          ‐
*は回転対称非球面。
非球面データ（表示していない非球面係数は0.00である。）；
面NO     Ｋ         Ａ４                 Ａ６
12       0.00    -0.47266×10-4     -0.10789×10-7
フローティングフォーカスに関するデータ；
撮影倍率ｍ          -1/10    -1/4
前群の移動量Ｘ１     1.86    4.81
後群の移動量Ｘ２     2.16    5.41
Ｘ１／Ｘ２           0.86    0.89
【実施例２】
【００２７】
図３及び図４と表２は本発明による広角レンズの実施例２を示している。図３はレンズ構成図、図４はその諸収差図、表２はその無限遠撮影状態における数値データである。
後群２０は、物体側から順に、像側に凸の正メニスカスレンズ（正の第５レンズ）と両凹負レンズ（負の第６レンズ）と両凸正レンズ（正の第７レンズ）との接合レンズ、物体側の面に合成樹脂材料による非球面層が接着形成された像側に凸の正メニスカスレンズ（正の第８レンズ）からなる。その他の基本的なレンズ構成は、実施例１と同様である。絞りＳは、第８面（後群２０）の極から前方1.502にある。
（表２）
F    = 1: 2.9
f    =   21.60
W    =   34.2
fB   =   36.70
面 No.      ｒ            ｄ            Ｎd        ν
1           31.888      2.86         1.75593       50.7
2          105.492      0.25            ‐          ‐
3           20.861      1.10         1.83481       42.7
4            8.408      6.37            ‐          ‐
5           47.737      1.00         1.72679       53.7
6            8.603      3.47         1.74004       30.2
7         -103.730      3.34            ‐          ‐
8          -16.632      5.00         1.77937       26.6
9           -7.600      1.00         1.84637       24.6
10          60.572      3.11         1.61999       63.7
11         -18.267      0.20            ‐          ‐
12*       -222.196      0.10         1.52972       42.7
13        -226.265      3.41         1.71300       53.9
14         -15.007       -              ‐          ‐
*は回転対称非球面。
非球面データ（表示していない非球面係数は0.00である。）；
面NO     Ｋ         Ａ４                 Ａ６
12       0.00    -0.44999×10-4     0.84551×10-7
フローティングフォーカスに関するデータ；
撮影倍率ｍ          -1/10    -1/4
前群の移動量Ｘ１     1.88    4.85
後群の移動量Ｘ２     2.18    5.45
Ｘ１／Ｘ２           0.86    0.89
【実施例３】
【００２８】
図５及び図６と表３は本発明による広角レンズの実施例３を示している。図５はレンズ構成図、図６はその諸収差図、表３はその無限遠撮影状態における数値データである。基本構成は実施例２と同様である。絞りＳは、第８面（後群２０）の極から前方1.501にある。
（表３）
F    = 1: 3.3
f    =   21.60
W    =   34.2
fB   =   36.70
面 No.      ｒ          ｄ            Ｎd        ν
1        31.807      2.77          1.76435      50.1
2       101.901      0.58             ‐         ‐
3        20.842      1.10          1.83400      42.8
4         8.442      6.62             ‐         ‐
5        50.370      1.00          1.71963      54.5
6         7.968      3.17          1.74397      31.2
7      -104.347      3.32             ‐         ‐
8       -16.220      4.71          1.76211      27.3
9        -7.400      1.00          1.84700      25.2
10       46.490      3.31          1.61945      63.7
11      -18.228      0.20             ‐         ‐
12*    -343.570      0.10          1.52972      42.7
13     -265.439      3.44          1.72882      53.3
14      -14.962       -               ‐         ‐
*は回転対称非球面。
非球面データ（表示していない非球面係数は0.00である。）；
面NO     Ｋ         Ａ４                 Ａ６
12       0.00    -0.44119×10-4     0.86880×10-7
フローティングフォーカスに関するデータ；
撮影倍率ｍ          -1/10    -1/4
前群の移動量Ｘ１     1.81    4.82
後群の移動量Ｘ２     2.17    5.44
Ｘ１／Ｘ２           0.83    0.89
【実施例４】
【００２９】
図７及び図８と表４は本発明による広角レンズの実施例４を示している。図７はレンズ構成図、図８はその諸収差図、表４はその無限遠撮影状態における数値データである。
後群２０は、物体側から順に、像側に凸の正メニスカスレンズ（正の第５レンズ）と両凹負レンズ（負の第６レンズ）と両凸正レンズ（正の第７レンズ）との接合レンズ、像側に凸の正メニスカスレンズ（正の第８レンズ）からなる。その他の基本的なレンズ構成は実施例２と同様である。絞りＳは、第８面（後群２０）の極から前方1.743にある。
（表４）
F    = 1: 3.3
f    =   21.57
W    =   34.2
fB   =   36.35
面 No.      ｒ          ｄ            Ｎd        ν
1        35.754      2.78          1.69492      57.0
2       140.010      0.10             ‐         ‐
3        23.976      1.10          1.83193      39.2
4         9.469      7.93             ‐         ‐
5        46.987      1.26          1.68797      56.9
6         7.310      4.14          1.70198      31.3
7      -106.643      4.55             ‐         ‐
8       -13.548      2.63          1.73800      52.3
9        -8.675      1.00          1.78640      27.0
10       75.642      3.61          1.59769      61.6
11      -15.465      0.20             ‐         ‐
12*    -490.224      2.66          1.77247      49.7
13      -17.907       -               ‐         ‐
*は回転対称非球面。
非球面データ（表示していない非球面係数は0.00である。）；
面NO     Ｋ         Ａ４               Ａ６
12       0.00    0.12172×10-4     0.14920×10-6
フローティングフォーカスに関するデータ；
撮影倍率ｍ          -1/10    -1/4
前群の移動量Ｘ１     1.86    4.81
後群の移動量Ｘ２     2.17    5.42
Ｘ１／Ｘ２           0.86    0.89
【実施例５】
【００３０】
図９及び図１０と表５は本発明による広角レンズの実施例５を示している。図９はレンズ構成図、図１０はその諸収差図、表５はその無限遠撮影状態における数値データである。基本的なレンズ構成は実施例４と同様である。絞りＳは、第８面（後群２０）の極から前方1.500にある。
（表５）
F    = 1: 3.1
f    =   21.60
W    =   34.2
fB   =   36.32
面 No.      ｒ          ｄ            Ｎd        ν
1          34.649      2.84         1.70000      56.8
2         133.094      0.10            ‐         ‐
3          22.840      1.10         1.83400      37.2
4           9.168      7.83            ‐         ‐
5          45.105      1.00         1.64999      59.2
6           6.297      4.08         1.67524      31.8
7        -109.031      4.14            ‐         ‐
8         -14.382      3.08         1.69929      53.8
9          -7.688      1.03         1.77753      27.7
10         48.001      4.13         1.61173      63.7
11        -15.266      0.10            ‐         ‐
12*     -2907.567      2.58         1.77250      44.1
13        -19.721        -             ‐        ‐
*は回転対称非球面。
非球面データ（表示していない非球面係数は0.00である。）；
面NO     Ｋ         Ａ４                Ａ６
12       0.00     0.97910×10-5     0.11649×10-6
フローティングフォーカスに関するデータ；
撮影倍率ｍ          -1/10    -1/4
前群の移動量Ｘ１     1.88    4.72
後群の移動量Ｘ２     2.17   5.42
Ｘ１／Ｘ２           0.87    0.87
【００３１】
各実施例の各条件式に対する値を表６に示す。
（表６）
実施例１  実施例２  実施例３  実施例４  実施例５
条件式（１）    -12.49    -5.37      -6.36      -7.85     -9.87
条件式（２）     1.23      1.12       1.13       1.19      1.20
条件式（３）    -1.33     -1.26      -1.29      -1.35     -1.34
条件式（４）     1.89      1.96       1.92       2.03      1.91 
（条件式（５）の対応数値は各実施例中に記載）
【００３２】
実施例１ないし５は条件式（１）〜（５）を満足しており、また諸収差図から明らかなように諸収差は比較的よく補正されている。
【図面の簡単な説明】
【００３３】
【図１】本発明による広角レンズの実施例１のレンズ構成図である。
【図２】図１の構成における諸収差図である。
【図３】本発明による広角レンズの実施例２のレンズ構成図である。
【図４】図３の構成における諸収差図である。
【図５】本発明による広角レンズの実施例３のレンズ構成図である。
【図６】図５の構成における諸収差図である。
【図７】本発明による広角レンズの実施例４のレンズ構成図である。
【図８】図７の構成における諸収差図である。
【図９】本発明による広角レンズの実施例５のレンズ構成図である。
【図１０】図９の構成における諸収差図である。
【図１】
2007225963.tif 000003
【図２】
2007225963.tif 000004
【図３】
2007225963.tif 000005
【図４】
2007225963.tif 000006
【図５】
2007225963.tif 000007
【図６】
2007225963.tif 000008
【図７】
2007225963.tif 000009
【図８】
2007225963.tif 000010
【図９】
2007225963.tif 000011
【図１０】
2007225963.tif 000012